(57)【要約】【課題】  時刻コードの受信及び時刻の修正を合理的に行うことができる電波修正時計を得ること。【解決手段】  電波修正時計において、本体時計と、本体時計に着脱自在に装着される子機とを備え、本体時計には第１制御手段と、第１計時手段と、時刻表示手段とを設け、子機には第２制御手段と、第２計時手段と、受信手段とを設け、子機は受信手段にて受信した時刻コードに基づいて第２計時手段の計時データを修正し、且つ本体時計は第２計時手段の計時データに基づいて第１計時手段の計時データを修正するものであり、更に当該電波修正時計は、第１計時手段及び第２計時手段の各計時データが一致しているかを確認する構成とした。また、子機には受信成功表示手段を設けた。更に当該電波修正時計は、本体時計から子機を外すと第２制御手段に入力されるトリガ信号に応じて受信手段が時刻コードを受信するようにした。【選択図】図４
2005321317.tif 000002
【特許請求の範囲】
【請求項１】
電波送信される時刻コードに基づいて時刻を修正する電波修正時計において、
本体時計と、前記本体時計に着脱自在に装着される子機とを備え、
前記本体時計には、当該本体時計を制御する第１制御手段と、時刻を計時する第１計時手段と、前記第１計時手段が計時する時刻を表示する時刻表示手段とを設け、
前記子機には、当該子機を制御する第２制御手段と、時刻を計時する第２計時手段と、前記時刻コードを受信する受信手段とを設け、
前記子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、
更に当該電波修正時計は、前記第１計時手段及び前記第２計時手段の各計時データが一致しているかを確認することを特徴とする電波修正時計。
【請求項２】
前記本体時計又は前記子機には、前記第１計時手段及び前記第２計時手段の計時データが一致したことを表示するデータ一致表示手段を設けたことを特徴とする請求項１記載の電波修正時計。
【請求項３】
前記子機には、前記時刻コードの受信が成功したことを表示する受信成功表示手段を設けたことを特徴とする請求項１又は２記載の電波修正時計。
【請求項４】
当該電波修正時計は、前記本体時計から前記子機を外すと前記第２制御手段にトリガ信号が入力され、前記トリガ信号に応じて前記受信手段が前記時刻コードを受信するようにしたことを特徴とする請求項１乃至３のいずれか記載の電波修正時計。
【請求項５】
電波送信される時刻コードに基づいて時刻を修正する電波修正時計において、
本体時計と、前記本体時計に着脱自在に装着される子機とを備え、
前記本体時計には、当該本体時計を制御する第１制御手段と、時刻を計時する第１計時手段と、前記第１計時手段が計時する時刻を表示する時刻表示手段とを設け、
前記子機には、当該子機を制御する第２制御手段と、時刻を計時する第２計時手段と、前記時刻コードを受信する受信手段と、前記時刻コードの受信が成功したことを表示する受信成功表示手段とを設け、
前記子機は、前記受信手段にて受信した時刻コードに基づいて前記第２計時手段の計時データを修正し、且つ前記本体時計は、前記第２計時手段の計時データに基づいて前記第１計時手段の計時データを修正することを特徴とする電波修正時計。
【請求項６】
電波送信される時刻コードに基づいて時刻を修正する電波修正時計において、
本体時計と、前記本体時計に着脱自在に装着される子機とを備え、
前記本体時計には、当該本体時計を制御する第１制御手段と、時刻を計時する第１計時手段と、前記第１計時手段が計時する時刻を表示する時刻表示手段とを設け、
前記子機には、当該子機を制御する第２制御手段と、時刻を計時する第２計時手段と、前記時刻コードを受信する受信手段とを設け、
前記子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、
当該電波修正時計は、前記本体時計から前記子機を外すと前記第２制御手段にトリガ信号が入力され、前記トリガ信号に応じて前記受信手段が前記時刻コードを受信するようにしたことを特徴とする電波修正時計。
【請求項７】
電波送信される時刻コードに基づいて時刻を修正する電波修正時計に設けられる子機において、
当該子機は、本体時計に着脱自在に装着されるものであり、
前記本体時計には、当該本体時計を制御する第１制御手段と、時刻を計時する第１計時手段と、前記第１計時手段が計時する時刻を表示する時刻表示手段とを設け、
当該子機には、当該子機を制御する第２制御手段と、時刻を計時する第２計時手段と、前記時刻コードを受信する受信手段とを設け、
当該子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、
更に前記電波修正時計は、前記第１計時手段及び前記第２計時手段の各計時データが一致しているかを確認することを特徴とする電波修正時計用子機。
【請求項８】
当該子機には、前記第１計時手段及び前記第２計時手段の計時データが一致したことを表示するデータ一致表示手段を設けたことを特徴とする請求項７記載の電波修正時計用子機。
【請求項９】
当該子機には、前記時刻コードの受信が成功したことを表示する受信成功表示手段を設けたことを特徴とする請求項７又は８記載の電波修正時計用子機。
【請求項１０】
前記電波修正時計は、前記本体時計から当該子機を外すと前記第２制御手段にトリガ信号が入力され、前記トリガ信号に応じて前記受信手段が前記時刻コードを受信するようにしたことを特徴とする請求項７乃至９のいずれか記載の電波修正時計用子機。
【請求項１１】
電波送信される時刻コードに基づいて時刻を修正する電波修正時計に設けられる子機において、
当該子機は、本体時計に着脱自在に装着されるものであり、
前記本体時計には、当該本体時計を制御する第１制御手段と、時刻を計時する第１計時手段と、前記第１計時手段が計時する時刻を表示する時刻表示手段とを設け、
当該子機には、当該子機を制御する第２制御手段と、時刻を計時する第２計時手段と、前記時刻コードを受信する受信手段と、前記時刻コードの受信が成功したことを表示する受信成功表示手段を設け、
当該子機は、前記受信手段にて受信した時刻コードに基づいて前記第２計時手段の計時データを修正し、且つ前記本体時計は、前記第２計時手段の計時データに基づいて前記第１計時手段の計時データを修正することを特徴とする電波修正時計用子機。
【請求項１２】
電波送信される時刻コードに基づいて時刻を修正する電波修正時計に設けられる子機において、
当該子機は、本体時計に着脱自在に装着されるものであり、
前記本体時計には、当該本体時計を制御する第１制御手段と、時刻を計時する第１計時手段と、前記第１計時手段が計時する時刻を表示する時刻表示手段とを設け、
当該子機には、当該子機を制御する第２制御手段と、時刻を計時する第２計時手段と、前記時刻コードを受信する受信手段とを設け、
当該子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、
前記電波修正時計は、前記本体時計から前記子機を外すと前記第２制御手段にトリガ信号が入力され、前記トリガ信号に応じて前記受信手段が前記時刻コードを受信するようにしたことを特徴とする電波修正時計用子機。
【発明の詳細な説明】
【技術分野】
【０００１】
本発明は、電波送信される時刻コードに基づいて時刻を修正する電波修正時計に関する。
【背景技術】
【０００２】
一般に、電波修正時計は、所定の時刻になると自動的に標準時刻電波を受信し、その標準時刻電波に含まれる時刻コードに基づいて時刻を修正する構成となっている。但し、電波修正時計の設置場所の環境によれば、かかる時刻コードの受信が不可能又は困難となる場合があり、正確な時刻を維持するためには、より確実に時刻コードを受信するための構成が必要とされる。特許文献１及び５には、時刻コードの受信をより確実に行うべく構成された電波修正時計が記載されている。
【特許文献１】特開平５−３３３１７０号公報
【特許文献２】特開平８−２５１０６０号公報
【特許文献３】特開平１０−９０４４３号公報
【特許文献４】特開２０００−３２９８７３号公報
【特許文献５】特開２００２−１０８４９６号公報
【発明の開示】
【発明が解決しようとする課題】
【０００３】
さて、電波修正時計は極めて厳密な時刻表示が求められるものであり、時刻コードの受信についても、使用上の便宜等を図りつつその信頼性を一層高めるための構成が必要とされている。本発明の目的は、時刻コードの受信及び時刻の修正を合理的に行うことができる電波修正時計を提供することである。
【課題を解決するための手段】
【０００４】
本願第１請求項に記載した発明は、電波送信される時刻コードに基づいて時刻を修正する電波修正時計において、本体時計と、前記本体時計に着脱自在に装着される子機とを備え、前記本体時計には、当該本体時計を制御する第１制御手段と、時刻を計時する第１計時手段と、前記第１計時手段が計時する時刻を表示する時刻表示手段とを設け、前記子機には、当該子機を制御する第２制御手段と、時刻を計時する第２計時手段と、前記時刻コードを受信する受信手段とを設け、前記子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、更に当該電波修正時計は、前記第１計時手段及び前記第２計時手段の各計時データが一致しているかを確認する構成の電波修正時計である。
【０００５】
本願第２請求項に記載した発明は、請求項１において、前記本体時計又は前記子機には、前記第１計時手段及び前記第２計時手段の計時データが一致したことを表示するデータ一致表示手段を設けた構成の電波修正時計である。
【０００６】
本願第３請求項に記載した発明は、請求項１又は２において、前記子機には、前記時刻コードの受信が成功したことを表示する受信成功表示手段を設けた構成の電波修正時計である。
【０００７】
本願第４請求項に記載した発明は、請求項１乃至３のいずれかにおいて、当該電波修正時計は、前記本体時計から前記子機を外すと前記第２制御手段にトリガ信号が入力され、前記トリガ信号に応じて前記受信手段が前記時刻コードを受信するようにした構成の電波修正時計である。
【０００８】
本願第５請求項に記載した発明は、電波送信される時刻コードに基づいて時刻を修正する電波修正時計において、本体時計と、前記本体時計に着脱自在に装着される子機とを備え、前記本体時計には、当該本体時計を制御する第１制御手段と、時刻を計時する第１計時手段と、前記第１計時手段が計時する時刻を表示する時刻表示手段とを設け、前記子機には、当該子機を制御する第２制御手段と、時刻を計時する第２計時手段と、前記時刻コードを受信する受信手段と、前記時刻コードの受信が成功したことを表示する受信成功表示手段とを設け、前記子機は、前記受信手段にて受信した時刻コードに基づいて前記第２計時手段の計時データを修正し、且つ前記本体時計は、前記第２計時手段の計時データに基づいて前記第１計時手段の計時データを修正する構成の電波修正時計である。
【０００９】
本願第６請求項に記載した発明は、電波送信される時刻コードに基づいて時刻を修正する電波修正時計において、本体時計と、前記本体時計に着脱自在に装着される子機とを備え、前記本体時計には、当該本体時計を制御する第１制御手段と、時刻を計時する第１計時手段と、前記第１計時手段が計時する時刻を表示する時刻表示手段とを設け、前記子機には、当該子機を制御する第２制御手段と、時刻を計時する第２計時手段と、前記時刻コードを受信する受信手段とを設け、前記子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、当該電波修正時計は、前記本体時計から前記子機を外すと前記第２制御手段にトリガ信号が入力され、前記トリガ信号に応じて前記受信手段が前記時刻コードを受信するようにした構成の電波修正時計である。
【００１０】
本願第７請求項に記載した発明は、電波送信される時刻コードに基づいて時刻を修正する電波修正時計に設けられる子機において、当該子機は、本体時計に着脱自在に装着されるものであり、前記本体時計には、当該本体時計を制御する第１制御手段と、時刻を計時する第１計時手段と、前記第１計時手段が計時する時刻を表示する時刻表示手段とを設け、当該子機には、当該子機を制御する第２制御手段と、時刻を計時する第２計時手段と、前記時刻コードを受信する受信手段とを設け、当該子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、更に前記電波修正時計は、前記第１計時手段及び前記第２計時手段の各計時データが一致しているかを確認する構成の電波修正時計用子機である。
【００１１】
本願第８請求項に記載した発明は、請求項７において、当該子機には、前記第１計時手段及び前記第２計時手段の計時データが一致したことを表示するデータ一致表示手段を設けた構成の電波修正時計用子機である。
【００１２】
本願第９請求項に記載した発明は、請求項７又は８において、当該子機には、前記時刻コードの受信が成功したことを表示する受信成功表示手段を設けた構成の電波修正時計用子機である。
【００１３】
本願第１０請求項に記載した発明は、請求項７乃至９のいずれかにおいて、前記電波修正時計は、前記本体時計から当該子機を外すと前記第２制御手段にトリガ信号が入力され、前記トリガ信号に応じて前記受信手段が前記時刻コードを受信するようにした構成の電波修正時計用子機である。
【００１４】
本願第１１請求項に記載した発明は、電波送信される時刻コードに基づいて時刻を修正する電波修正時計に設けられる子機において、当該子機は、本体時計に着脱自在に装着されるものであり、前記本体時計には、当該本体時計を制御する第１制御手段と、時刻を計時する第１計時手段と、前記第１計時手段が計時する時刻を表示する時刻表示手段とを設け、当該子機には、当該子機を制御する第２制御手段と、時刻を計時する第２計時手段と、前記時刻コードを受信する受信手段と、前記時刻コードの受信が成功したことを表示する受信成功表示手段を設け、当該子機は、前記受信手段にて受信した時刻コードに基づいて前記第２計時手段の計時データを修正し、且つ前記本体時計は、前記第２計時手段の計時データに基づいて前記第１計時手段の計時データを修正する構成の電波修正時計用子機である。
【００１５】
本願第１２請求項に記載された発明は、電波送信される時刻コードに基づいて時刻を修正する電波修正時計に設けられる子機において、当該子機は、本体時計に着脱自在に装着されるものであり、前記本体時計には、当該本体時計を制御する第１制御手段と、時刻を計時する第１計時手段と、前記第１計時手段が計時する時刻を表示する時刻表示手段とを設け、当該子機には、当該子機を制御する第２制御手段と、時刻を計時する第２計時手段と、前記時刻コードを受信する受信手段とを設け、当該子機は、前記受信手段にて受信した時刻コードに基づいて前記第２計時手段の計時データを修正し、且つ前記本体時計は、前記第２計時手段の計時データに基づいて前記第１計時手段の計時データを修正するものであり、前記電波修正時計は、前記本体時計から前記子機を外すと前記第２制御手段にトリガ信号が入力され、前記トリガ信号に応じて前記受信手段が前記時刻コードを受信するようにした構成の電波修正時計用子機である。
【発明の効果】
【００１６】
本発明によれば、時刻コードの受信及び時刻の修正を合理的に行うことができる電波修正時計が得られる。
【発明を実施するための最良の形態】
【００１７】
以下に、本発明の実施例を図面に基づいて詳細に説明する。図１に示す時計は、電波送信される時刻コードに基づいて時刻を修正する電波修正時計１である。この電波修正時計１は、時刻表示手段２１０を設けてなる本体時計２００と、本体時計２００に着脱自在に装着される子機３００とを備えている。図例の時刻表示手段２１０は、本体時計２００の正面に設けられた文字板２１１上において指針２１２を駆動するものである。また本例の子機３００は、本体時計２００の要所に設けられたジャック部２０１に挿入して装着されるプラグ型のものである。子機３００及びジャック部２０１の要所には、互いに接続される端子群２０２，３０１がそれぞれ設けられている。尚、図２中の３１０は受信成功表示手段、３２０はデータ一致表示手段を示している。
【００１８】
子機３００は、標準時刻電波を受信するユニットである。例えば図３に示すように、電波の受信が不可能又は困難な場所Ａに本体時計２００が設置されている場合には、子機３００を取り外してこれをその場所Ａから外部に持ち出し、標準時刻電波を受信する。そして、標準時刻電波を受信した後、子機３００を本体時計２００に装着すると、子機３００が受信した標準時刻電波の時刻コードに基づいて本体時計２００が時刻修正をする構成となっている。
【００１９】
図４には、本体時計２００及び子機３００の回路図を示す。本体時計２００には、当該本体時計２００を制御する第１制御手段２２１と、時刻を計時する第１計時手段２２２と、第１計時手段２２２が計時する時刻を表示する時刻表示手段２１０とが設けられている。第1制御手段２２１及び第1計時手段２２２は、所要のプログラムを格納した第１マイコン２２０により構成されている。そして、指針２１２を駆動するモータ２１３を第１制御手段２２１が制御することにより、第１計時手段２２２が計時する時刻を時刻表示手段２１０が表示する構成となっている。
【００２０】
子機３００には、当該子機３００を制御する第２制御手段３４１と、時刻を計時する第２計時手段３４２と、時刻コードを受信する受信手段３３０と、時刻コードの受信が成功したことを表示する受信成功表示手段３１０と、第１計時手段２２２及び第２計時手段３４２の計時データが一致したことを表示するデータ一致表示手段３２０とが設けられている。第２制御手段３４１及び第２計時手段３４２は、所要のプログラムを格納した第２マイコン３４０により構成されている。受信手段３３０は、所定の標準時刻電波を受信するためのアンテナ３３１及びＩＣ３３２である。受信成功表示手段３１０及びデータ一致表示手段３２０は、それぞれＬＥＤにて構成されており、受信が成功した場合、及び各計時手段の計時データが一致した場合は、それらが随時点灯される。
【００２１】
本例の場合、子機３００は、受信手段３３０にて受信した時刻コードに基づいて第２計時手段３４２の計時データを修正し、且つ本体時計２００は、第２計時手段３４２の計時データに基づいて第１計時手段２２２の計時データを修正する。また、かかる電波修正時計１は、第１計時手段２２２の計時データを修正した際に、第１計時手段２２２及び第２計時手段３４２の各計時データが一致しているかを確認する。
【００２２】
尚、本体時計２００の電源２３０は、商用電源又は一次電池、或いは二次電池であり、子機３００の電源３５０は、一次電池又は二次電池である。本体時計２００に子機３００が装着されている際、つまり双方の端子群２０２，３０１が接続されている際は、子機３００には本体時計２００の電源２３０から電力が供給され、子機３００の電源３５０は使用されない。子機３００の電源３５０が二次電池である場合は、子機３００が本体時計２００に装着されている間に、本体時計２００の電源２３０の電力にてこれを充電するように構成してもよい。
【００２３】
また、本例の電波修正時計１は、本体時計２００から子機３００を外すと第２制御手段にトリガ信号が入力され、トリガ信号に応じて受信手段３３０が時刻コードを受信する構成となっている。トリガ信号は、子機３００に設けられたコンデンサＣ、抵抗器Ｒ１，Ｒ２、及びトランジスタＴＲ１の組み合わせにより発生される。具体的には、図４中の抵抗器Ｒ１，Ｒ２の回路条件はＲ１＜Ｒ２であり、子機３００が本体時計２００から外されると、Ｃ・Ｒ２時定数により一定時間ＴＲ１がＯＦＦし、ａ点電圧がＯＶ状態となる。さらにＣ・Ｒ２時定数によりＴＲ１がＯＦＦからＯＮに変化し、ａ点には子機の電源３５０からの電力供給が始まる。ここで、コンデンサＣの放電時間においては、第２制御手段３４１に供給する電圧の低下が生じることとなり、本例ではこれをトリガ信号として利用している。
【００２４】
以下、電波修正時計１の制御について説明する。図５は本体時計２００側の制御を示すフローチャートであり、図６は子機３００側の制御を示すフローチャートである。図５に示すように、本体時計２００は、電源が投入されると所要の初期設定がなされ（Ｓ１０１）、第１計時手段２２２が計時を開始する（Ｓ１０２）。本例の初期設定においては、後述するのと同様に子機３００の第２制御手段４３１に受信指令信号を送信し、子機３００による受信が成功したところで、受信した時刻コードに基づいて第１計時手段２２２及び第２計時手段３４２が計時を開始する構成となっている。
【００２５】
初期設定の後、第１計時手段２２２の計時データが所定の受信時刻になると（Ｓ１０３）、第１制御手段２２１が第２制御手段３４１に受信指令信号を送信する（Ｓ１０４）。
【００２６】
また、本体時計２００に装着されている子機３００が受信に成功した場合、又は受信に成功した子機３００がその後本体時計２００に装着された場合は、第１制御手段２２１には第２制御手段３４１から第２計時手段３４２の計時データが送信されるので（Ｓ１０５）、第１制御手段２２１は、その計時データに基づいて第１計時手段２２２の計時データを修正する（Ｓ１０６）。子機３００による受信は、受信指令信号又はトリガ信号に応じてなされる。
【００２７】
そして、第１計時手段２２２の計時データを修正した際は、その修正した第１計時手段２２２の計時データを第２制御手段３４１へ送信する（Ｓ１０７）。これは、第１計時手段２２２及び第２計時手段３４２の各計時データが一致しているかを確認するためである。
【００２８】
一方図６に示すように、子機３００は、本体時計２００とともに初期設定された後（Ｓ２０１）、第２計時手段３４２が計時を開始する。
【００２９】
そして、第２制御手段３４１に第１制御手段から受信指令信号が送信されると（Ｓ２０３）、又は子機３００を本体時計２００から外すことによって第２制御手段３４１にトリガ信号が入力されると（Ｓ２０４）、受信手段３３０による受信を開始する（Ｓ２０５）。
【００３０】
かかる受信が成功すると（Ｓ２０６）、第２制御手段３４１は、受信成功表示手段３１０を作動、つまり受信成功表示手段３１０たるＬＥＤを点灯し（Ｓ２０７）、受信した時刻コードに基づいて第２計時手段３４２の計時データを修正する（Ｓ２０８）。そして、修正した第２計時手段３４２の計時データを本体時計２００の第１制御手段２２１へ送信する（Ｓ２０９）。子機３００が本体時計２００に装着されていない場合、かかる送信は、子機３００が本体時計２００に装着された際になされる。
【００３１】
尚、電波が受信されない等、受信をある程度施行しても受信処理が完了しない場合は（Ｓ２１０）、電力消費を抑えるべくその受信処理を自動的に中止する（Ｓ２１１）。
【００３２】
第２計時手段３４２の計時データを第１制御手段２２１へ送信すると（Ｓ２０９）、前述したように第１制御手段２２１は第１計時手段２２２の計時データを修正し（Ｓ１０６）、修正した第１計時手段２２２の計時データを第２制御手段へと送信する（Ｓ１０７）。第２制御手段３４１にかかる返信があった場合（Ｓ２１２）、第２制御手段３４１は、第１計時手段２２２及び第２計時手段３４２の各計時データが一致しているかを確認し（Ｓ２１３）、それらが一致している場合は、データ一致表示手段３２０を作動、つまりデータ一致表示手段３２０たるＬＥＤを点灯する（Ｓ２１４）。
【００３３】
不一致の場合は、再度、第２計時手段３４２の計時データを第１制御手段２２１へ送信し（Ｓ２０９）、第１制御手段２２１から返信があると（Ｓ２１２）、一致確認をする（Ｓ２１３）。また、こうした一連の処理を数回繰返しても各計時データが一致しない場合は（Ｓ２１５）、電力消費を抑えるべくかかる処理は自動的に終了する。尚、データが一致しない場合は、なんらかのトラブルが発生しているものと考えられる。エラー表示手段を設け、そのような場合にはこれを作動するように構成してもよい。或いは、受信成功表示手段３１０のＬＥＤやデータ一致表示手段３２０のＬＥＤを所定のタイミングで点滅させる等してもよい。
【００３４】
以上説明したように、本例の電波修正時計は、定期的に標準時刻電波を受信し、標準時刻電波に含まれる時刻コードに基づいて時刻を修正するものである。更に、標準時刻電波の受信が不可能又は困難な場所に設置した場合であっても、子機を本体時計から外して受信可能な場所へ持っていき、子機が標準時刻電波を受信した後にこれを本体時計に装着すると、本体時計の時刻修正がなされるものである。このような構成によれば、電波修正時計全体を移動せずとも標準時刻電波を効率よく受信することが可能であり、その利便性を向上することができる。
【００３５】
また、当該電波修正時計は、第１計時手段の計時データを修正した際に、第１計時手段及び第２計時手段の各計時データが一致しているかを確認するので、時刻表示手段が表示する時刻の信頼性を確実に向上することができる。子機には、第１計時手段及び第２計時手段の計時データが一致したことを表示するデータ一致表示手段を設けたので、使用者は、これにより現在表示されている時刻の信頼性を確認することができる。尚、データ一致表示手段は、本体時計側に設けることも可能である。
【００３６】
更に、子機には受信成功表示手段を設けたので、使用者は、子機を本体時計から外した際も、その受信成功表示手段により時刻コードの受信状態を確認することができる。すなわち利便性に優れたものとなっている。子機には、第２計時手段が計時する時刻を表示する時刻表示手段を設けてもよい。
【００３７】
また、本例の電波修正時計は、本体時計から子機を外すと第２制御手段にトリガ信号が入力され、トリガ信号に応じて受信手段が時刻コードを受信するものである。このような構成によれば、時刻コードを受信するタイミングを効率よく設定することができる。
【００３８】
更に、複数の本体時計に対して１つの子機をそれぞれ装着可能とすれば、１つの子機にて複数の本体時計の時刻修正を行うことも可能となる。１回の受信により、複数の本体時計の時刻を修正することも可能である。
【００３９】
また、子機を規格化して、複数種の子機を本体時計に対してそれぞれ装着可能とすれば、電波修正時計の汎用性を向上することができる。例えば、標準時刻電波の周波数が異なる地域であっても、子機をその地域に対応したものに交換すれば、標準時刻電波の受信を可能とすることができる。このような構成は、電波修正時計を外国へ輸出又は外国から輸入する場合においても非常に有効である。
【００４０】
尚、本例における各部の構成は、特許請求の範囲に記載した技術的範囲において適宜に設計変更が可能であり、図例説明したものに限定されないことは勿論である。
【産業上の利用可能性】
【００４１】
本発明は、時刻コードの受信及び時刻の修正を合理的に行うことができる電波修正時計及びその子機として好適に利用することができるものである。
【図面の簡単な説明】
【００４２】
【図１】本発明の実施例に係り、電波修正時計を示す説明図である。
【図２】本発明の実施例に係り、子機を示す説明図である。
【図３】本発明の実施例に係り、電波修正時計の使用形態を示す説明図である。
【図４】本発明の実施例に係り、本体時計及び子機の回路図である。
【図５】本発明の実施例に係り、本体時計側の制御を示すフローチャートである。
【図６】本発明の実施例に係り、子機側の制御を示すフローチャートである。
【符号の説明】
【００４３】
１    電波修正時計
２００    本体時計
２０１    ジャック部
２０２    端子群
２１０    時刻表示手段
２１１    文字板
２１２    指針
２１３    モータ
２２０    第１マイコン
２２１    第１制御手段
２２２    第１計時手段
２３０    本体時計の電源
３００    子機
３０１    端子群
３１０    受信成功表示手段
３２０    データ一致表示手段
３３０    受信手段
３３１    アンテナ
３３２    ＩＣ
３４０    第２マイコン
３４１    第２制御手段
３４２    第２計時手段
３５０    子機の電源
Ｃ    コンデンサ
Ｒ１    抵抗器
Ｒ２    抵抗器
ＴＲ１    トランジスタ
Ａ    電波の受信が不可能又は困難な場所
【図１】
2005321317.tif 000003
【図２】
2005321317.tif 000004
【図３】
2005321317.tif 000005
【図４】
2005321317.tif 000006
【図５】
2005321317.tif 000007
【図６】
2005321317.tif 000008